(57)【要約】【課題】放熱器の構造においてハブ内のモータセットの放熱も行う。【解決手段】ファン部１０と、モータセット２０と、座体３０とによって構成する。前記ファン部１０は、前記座体３０に接合されており、前記モータセット２０は、前記座体３０に嵌設されており、前記ファン部１０が有するハブ１１の周縁には少なくとも一つの傾斜部１１０が設けられており、前記ハブ１１の傾斜部１１０は前記座体３０と共に入気口Ａと空気流の流路を形成し、ファンの回転によって生成される空気流の一部分はハブ１１内に導入され、前記ハブ１１内に収容されているモータセット２０の放熱を行い、放熱器の寿命を延ばすことができる。【選択図】  図２
2006180668.tif 000002
【特許請求の範囲】
【請求項１】
ファン部と、モータセットと、座体とからなる放熱器の構造において、
前記ファン部は、前記座体に接合されており、前記モータセットは、前記座体に嵌設されており、
前記ファン部が有するハブの周縁には少なくとも一つの傾斜部が設けられており、前記ハブの傾斜部は前記座体と共に入気口と空気流の流路を形成し、ファンの回転によって生成される空気流の一部分はハブ内に導入され、前記ハブ内に収容されているモータセットの放熱を行い、放熱器の寿命を延ばすことができることを特徴とする放熱器の構造。
【発明の詳細な説明】
【技術分野】
【０００１】
本発明は放熱器の構造に関し、特に同じ大きさの座体とハブとを組み合わせた構造と、その形状により、ファン部によって生成される空気流のうち、一部が発熱物の放熱を行い、一部がハブ内部に導入され、ハブ内に収容されているモータの放熱を行う放熱器の構造に関わる。
【背景技術】
【０００２】
図１は公知構造による放熱器の構造であり、ファン部はハウジング１１と、ハブ１２とからなり、前記ハウジング１１内には座体１１１が設けられており、前記座体１１１には中空の筒状部１１２が設けられている。前記筒状部１１２内には軸受１１３が設けられており、筒状部１１２の外部にはモータ固定子１３が嵌設されており、モータ固定子１３は座体１１１上に固定されており、前記ハブ１２は一側が封止構造で、他側が開放構造の蓋形状となっており、その内部には一側が封止構造で、他側が開放構造のヨーク１４が設けられており、前記ヨーク１４内側には環状のモータ回転子１５が設けられており、ハブ１２外部には複数の放射状に配列する羽根１２１が設けられており、軸１６の一端はハブ１２とヨーク１４とに接続されており、他端は軸受１１３に貫設されており、それによりハブ１２とヨーク１４は座体１１１上に枢設されており、モータ固定子１３とモータ回転子１５の励磁作用による変位によって、ハブ１２とヨーク１４が回転し、同時に羽根１２１が回転して空気流を生成し、その空気流によって発熱物の放熱が行われる。
【０００３】
上記公知構造による放熱器においては、運転時、生成された空気流によって発熱物の放熱を行うことができる（図なし）が、前記モータ固定子１３と前記モータ回転子１５との間に熱が発生し、その熱量はヨーク１４が蓋形状であるために外部に放出されず、大量の熱量がヨーク１４内に停滞してしまい、それにより放熱器の寿命を短くするだけでなく、システム全体の熱量も増加するので、改善が求められていた。
【発明の開示】
【発明が解決しようとする課題】
【０００４】
本発明は上記のような従来技術の問題点に鑑みて、同じ大きさの座体とハブとを組み合わせた構造とその形状により、ファン部によって生成される空気流のうち、一部が発熱物の放熱を行い、一部がハブ内部に導入され、ハブ内に収容されているモータの放熱を行う放熱器の構造を提供することである。
【０００５】
本発明の次の目的は、ハブ内に導入される空気流によって放熱器の振動を減少させることができる放熱器の構造を提供することである。
【課題を解決するための手段】
【０００６】
前記課題を解決するために、ファン部と、モータセットと、座体とからなる放熱器の構造において、請求項１の発明は、前記ファン部は、前記座体に接合されており、前記モータセットは、前記座体に嵌設されており、前記ファン部が有するハブの周縁には少なくとも一つの傾斜部が設けられており、前記ハブの傾斜部は前記座体と共に入気口と空気流の流路を形成し、ファンの回転によって生成される空気流の一部分はハブ内に導入され、前記ハブ内に収容されているモータセットの放熱を行い、放熱器の寿命を延ばすことができることを特徴とする放熱器の構造である。
【発明の効果】
【０００７】
ハブの傾斜部と対応する座体とによって形成されている入気口と空気流の流路によって、ファン部の回転によって生成される空気流の一部がハブ内に導入され、ハブ内に収容されているモータの放熱を行う構造により、放熱器全体の使用寿命を長くするだけでなく、ハブ内に導入される空気流によって放熱器の振動を減少させることができる放熱器の構造を提供できた。
【発明を実施するための最良の形態】
【０００８】
本発明の優れている点、目的、技術的特徴、効果を図に沿って詳細に説明する。
【０００９】
図２は本発明による放熱器の構造の好適な実施形態を示すものであり、ファン部１０と、モータセット２０と、座体３０とによって構成されている。前記ファン部１０は、ハブ１１と、軸１２と、ヨーク１３と、磁石１５とからなり、前記軸１２は前記ハブ１１の底部中央に形成されている軸支持部１１１に設置されており、前記ヨーク１３は前記ハブ１１の内側縁に設置されており、前記磁石１５は前記ヨーク１３の内側縁に設置されている。
【００１０】
前記モータセット２０は、前記座体３０に嵌設されており、前記モータセット２０は、絶縁フレーム２１と、珪素鋼板２２と、回路版２３と、コイル２４とからなり、前記珪素鋼板２２は前記絶縁フレーム２１外部に設置されており、前記コイル２４と前記珪素鋼板２２は絶縁フレームに巻設されている。前記座体３０の中心には中空の筒状部３１が設けられており、前記回路版２３は前記絶縁フレーム２１底部と前記筒状部３１との間に設置されており、前記軸１２は前記筒状部３１に形成されている収容空間内に設けられており、前記軸１２の外部と前記筒状部３１との間には軸受３２が設けられており、前記軸１２は軸受３２によって支持されて回転し、前記軸受３２と前記ハブ１１との間にはオイルリングＲが設置されている。
【００１１】
前記筒状部３１には突出部３１１と掛止突部３１２が設けられており、前記軸１２におけるファン部１０のハブ１１と接続されていない一端は円弧状になっており、スナップリング１４が掛合されており、前記突出部３１１の前記スナップリング１４に対する支持作用と、掛止突部３１２の掛止作用により、前記軸１２が前記筒状部３１から脱落するのを防いでいる。
【００１２】
前記ハブ１１の周縁には少なくとも一つの傾斜部１１０が設けられており、図２、４においては傾斜部１１０が一つ、図３、４、６においては傾斜部１１０が複数設けられており、図７においては周縁すべてに傾斜部１１０が形成されている。前記ハブ１１の傾斜部１１０と対応する前記座体３０とによって形成されている入気口Ａと空気流の流路によって、ファン部１０の回転によって生成される空気流の一部がハブ１１内に導入され、前記ハブ１１内に収容されているモータの放熱を行い、放熱器全体の使用寿命を長くするだけでなく、ハブ１１内に導入される空気流によって放熱器の振動を減少させることができる。
【００１３】
上記の内容は本発明の好適な実施形態を示したものであり、本発明を制限するものでなく、本発明の発明主旨を逸脱しない範囲における本発明の構想に基づく変更は全て本発明の権利範囲に含まれる。
【図面の簡単な説明】
【００１４】
【図１】公知構造による放熱器の構造を示す断面図である。
【図２】本発明による放熱器の構造の第一の実施形態を示す断面図である。
【図３】本発明による放熱器の構造の第二の実施形態を示す断面図である。
【図４】図２の上面図である。
【図５】図３の上面図である。
【図６】図３の第二の形態の上面図である。
【図７】図３の第三の形態の上面図である。
【符号の説明】
【００１５】
１０      ファン部
１１      ハブ
１１０    傾斜部
１１１    軸支持部
１２      軸
１３      ヨーク
１４      スナップリング
１５      磁石
２０      モータセット
２１      絶縁フレーム
２２      珪素鋼板
２３      回路板
２４      コイル
３０      座体
３１      筒状部
３１１    突出部
３１２    掛止突部
３２      軸受
Ａ        入気口
Ｒ        オイルリング
【図１】
2006180668.tif 000003
【図２】
2006180668.tif 000004
【図３】
2006180668.tif 000005
【図４】
2006180668.tif 000006
【図５】
2006180668.tif 000007
【図６】
2006180668.tif 000008
【図７】
2006180668.tif 000009